(57)【要約】【課題】揺動選別体を備えた脱穀装置において、高い選別性能を有するとともに、構成が簡略化されてコストも安価な脱穀装置を提供することを課題とする。【解決手段】本発明は、回転する扱胴２８で脱穀処理されて落下してくる処理物を受止めて選別する揺動選別体３６を、該扱胴２８の下方に配置し、揺動選別体３６の上面側に形成された処理物用搬送面３６ａに、後方に向かって搬送面３６ａの左右中央側に傾斜した寄せ板５３，５４を設け、揺動選別体３６と機体内壁４１との間をシールするシール部材５２を、上記搬送面３６ａよりも高い位置に設け、該シール部材５２側から上方突出するガイド部５４ａを、寄せ板５４の外側端部に一体形成して設け、寄せ板５３，５４によって後方搬送中の処理物を中央部側に寄せるとともに、該ガイド部５４ａによって、シール部材５２上の処理物を搬送面３６ａ側に案内する。【選択図】図６
2013138616.tif 000002
【特許請求の範囲】
【請求項１】
穀稈を脱穀処理するように回転駆動される扱胴（２８）と、扱胴（２８）で脱穀処理された処理物を前後揺動によって選別する揺動選別体（３６）とを備え、扱胴（２８）の下方に揺動選別体（３６）を配置し、扱胴（２８）から落下供給される処理物を受止め且つ揺動選別しながら後方搬送する搬送面（３６ａ）を、揺動選別体（３６）の上面側に形成し、後方に向かって搬送面（３６ａ）の左右中央側に傾斜した寄せ板（５３，５４）を搬送面（３６ａ）上に設け、揺動選別時、寄せ板（５３，５４）によって搬送面（３６ａ）上を後方搬送されてくる処理物を左右中央部側に寄せる脱穀装置において、揺動選別体（３６）の側端近傍に位置して該揺動選別体（３６）と機体内壁（４１）との間をシールするシール部材（５２）を、上記搬送面（３６ａ）よりも高い位置に設け、該シール部材（５２）側から上方突出するガイド部（５４ａ）を、寄せ板（５４）の外側端部に一体形成して設け、該ガイド部（５４ａ）によって、シール部材（５２）上を後方移動してくる処理物を左右内側の上記搬送面（３６ａ）側に案内する脱穀装置。
【請求項２】
側面視波状に形成された搬送板（４２）によって、搬送面（３６ａ）の前部を構成するとともに、回動可能な複数のフィン（４３ａ）から構成されたチャフシーブ（４３）によって、搬送板（４２）の後方に位置する搬送面（３６ａ）を構成し、前記搬送板（４２）の上面側に位置する寄せ板（５３）にはガイド部を形成せずに、チャフシーブ（４３）の上面側に位置する寄せ板（５４）にガイド部（５４ａ）を一体形成した請求項１記載の脱穀装置。
【発明の詳細な説明】
【技術分野】
【０００１】
この発明は、揺動選別体を備えた脱穀装置に関する。
【背景技術】
【０００２】
穀稈を脱穀処理するように回転駆動される扱胴と、扱胴で脱穀処理された処理物を前後揺動によって選別する揺動選別体とを備え、扱胴の下方に揺動選別体を配置し、扱胴から落下供給される処理物を受止め且つ揺動選別しながら後方搬送する搬送面を、揺動選別体の上面側に形成した脱穀装置が従来公知である。
【０００３】
このような脱穀装置を改良したものとして、後方に向かって搬送面の左右中央側に傾斜した寄せ板を搬送面上に設け、揺動選別時、寄せ板によって搬送面上を後方搬送されてくる処理物を左右中央部側に寄せることにより、搬送面の左右端側に処理物が偏ることを防止する特許文献１に示す脱穀装置が公知になっている。
【先行技術文献】
【特許文献】
【０００４】
【特許文献１】特開平７−２７４６８５号公報
【発明の概要】
【発明が解決しようとする課題】
【０００５】
上記文献に示す脱穀装置では、揺動選別体と機体内壁との間の隙間から処理物が落下する場合があり、さらに、この隙間からの処理物の落下を防止するため、揺動選別体の側端近傍に位置して該揺動選別体と機体内壁との間をシールするシール部材を、上記搬送面よりも高い位置に設けた場合でも、このシール部材上の処理物が揺動選別体の揺動等によって後方搬送され、そのまま機外に排出され、選別性能が低下する場合がある。
そして、このような選別性能の低下を防止するため、該シール部材側から上方突出するガイド部を設けた場合は、部品点数が増加して、構造が複雑化する。
【０００６】
本発明は、揺動選別体を備えた脱穀装置において、高い選別性能を有するとともに、構成が簡略化されてコストも安価な脱穀装置を提供することを課題とする。
【課題を解決するための手段】
【０００７】
上記課題を解決するため、第１に、穀稈を脱穀処理するように回転駆動される扱胴２８と、扱胴２８で脱穀処理された処理物を前後揺動によって選別する揺動選別体３６とを備え、扱胴２８の下方に揺動選別体３６を配置し、扱胴２８から落下供給される処理物を受止め且つ揺動選別しながら後方搬送する搬送面３６ａを、揺動選別体３６の上面側に形成し、後方に向かって搬送面３６ａの左右中央側に傾斜した寄せ板５３，５４を搬送面３６ａ上に設け、揺動選別時、寄せ板５３，５４によって搬送面３６ａ上を後方搬送されてくる処理物を左右中央部側に寄せる脱穀装置において、揺動選別体３６の側端近傍に位置して該揺動選別体３６と機体内壁４１との間をシールするシール部材５２を、上記搬送面３６ａよりも高い位置に設け、該シール部材５２側から上方突出するガイド部５４ａを、寄せ板５４の外側端部に一体形成して設け、該ガイド部５４ａによって、シール部材５２上を後方移動してくる処理物を左右内側の上記搬送面３６ａ側に案内することを特徴としている。
【０００８】
第２に、側面視波状に形成された搬送板４２によって、搬送面３６ａの前部を構成するとともに、回動可能な複数のフィン４３ａから構成されたチャフシーブ４３によって、搬送板４２の後方に位置する搬送面３６ａを構成し、前記搬送板４２の上面側に位置する寄せ板５３にはガイド部を形成せずに、チャフシーブ４３の上面側に位置する寄せ板５４にガイド部５４ａを一体形成したことを特徴としている。
【発明の効果】
【０００９】
揺動選別体の側端近傍に位置して該揺動選別体と機体内壁との間をシールするシール部材を、上記搬送面よりも高い位置に設け、該シール部材側から上方突出するガイド部を、寄せ板の外側端部に一体形成して設けている。
このため、寄せ板によって、搬送面の左右端側に処理物が溜まるのを防止するとともに、ガイド部によって、シール部材上を後方移動してくる処理物を左右内側の上記搬送面側に案内し、シール部材上に処理物が溜まることや、シール部材上を終端側まで搬送されることも防止される。これに加えて、ガイド部が一体形成された寄せ板によって、ガイド部により搬送面側に案内された処理物が、より効率的に搬送面の左右中央側に寄せられる。
以上の作用により、処理物が均一化された状態で、搬送面上を揺動選別されながら後方搬送されるため、選別性能が向上するとともに、寄せ板にガイド部が一体形成されているため、別途ガイド部を設ける必要が無く、構成が簡略化され、製造コストも安価になる。
【００１０】
また、側面視波状に形成された搬送板によって、搬送面の前部を構成するとともに、回動可能な複数のフィンから構成されたチャフシーブによって、搬送板の後方に位置する搬送面を構成し、前記搬送板の上面側に位置する寄せ板にはガイド部を形成せずに、チャフシーブの上面側に位置する寄せ板にガイド部を一体形成したものによれば、シール部材上の処理物の移動が上流側で過度に制限されることがなくなり、処理物の詰まり等が防止される。
【図面の簡単な説明】
【００１１】
【図１】本発明を適用した脱穀装置が搭載された汎用コンバインの側面図である。
【図２】本発明を適用した脱穀装置が搭載された汎用コンバインの平面図である。
【図３】図１に示す脱穀装置の構成を示す側面図である。
【図４】図１に示す脱穀装置の構成を示す正面図である。
【図５】図３に示す揺動選別体の構成を示す側面図である。
【図６】図３に示す揺動選別体の構成を示す平面図である。
【発明を実施するための形態】
【００１２】
図１，図２は、本発明を適用した脱穀装置が搭載された汎用コンバインの側面図及び平面図である。図示する汎用コンバインは、稲や麦や豆類等の作物の刈取作業を行うものであり、該汎用コンバインは、左右一対のクローラ式走行装置１Ｌ，１Ｒを有する走行機体２と、走行機体２の前方に昇降駆動可能に連結された刈取部３と、左右方向に延びる筒状のリール４と、該リール４を昇降可能及び前後動可能に刈取部３側に支持する可動機構６とを備えている。
【００１３】
上記刈取部３は、後側半部のフィーダ７及び前側半部の刈取フレーム８を一体的で備え、刈取フレーム８の左右の側壁からは前方に向かって分草体９が突出され、刈取フレーム８の左右の側壁間における下部且つ後部には、左右方向に延びる円柱状の掻込オーガ１１が軸回りに回転駆動可能に支持され、該掻込オーガ１１の前方には、左右方向のレシプロ式の刈刃１２が設置されている。ちなみに、平面視刈取フレーム８の左右の側壁間に前記リール４が位置している。
【００１４】
フィーダ７は、刈取った作物の穀稈を後方搬送する前後方向のフィーダコンベア１３をフィーダケース７ａ内に備え、全体が後述する走行機体２側の操縦部１４の側方に位置しており、このフィーダ７の後端部が走行機体２の前部に支持されている他、刈取フレーム８は操縦部１４の前側からフィーダ７の前側に至る左右範囲に形成されている。
【００１５】
上記リール４は、周囲及び左右両側方が内外で連通し且つ内部が空洞となる左右方向の角柱状に成形され、このリール４は、回動軸１６によって、自身の軸回りに回転駆動可能に、可動機構６に支持されている他、リール４の周囲には、所定間隔毎にリールタイン１７が配設されている。
【００１６】
走行機体２の前進走行中、回転するリール４によって掻込まれた圃場の作物の穀稈は、左右に往復スライド駆動される刈刃１２によって刈取られ、掻込オーガ１１によってフィーダ７側に掻込まれる。フィーダ７側に導入された作物の穀稈は、フィーダコンベア１３によって走行機体２側まで後方搬送される。ちなみに、可動機構６によってリール４が刈取部３に対して昇降又は前後動されることにより、リール４の前後及び上下の位置調整が行われる。
【００１７】
上記走行機体２の左側半部には、刈取った稲や麦等の穀稈の脱穀処理を行うとともに該脱穀処理された処理物から籾等の穀粒を選別する脱穀装置１８が設置され、走行機体２の右側半部には、脱穀装置１８によって脱穀・選別された穀粒を蓄えるグレンタンク１９が配設され、グレンタンク１９の前方には、オペレータが乗込む前記操縦部１４が設置される。
【００１８】
グレンタンク１９内の穀粒は、走行機体２の後端部に支持された排出オーガ２１によって機外に排出される。具体的には、全体が上下揺動可能且つ水平回動可能なように排出オーガ２１の基端部が走行機体２の後端部右側に支持され、該排出オーガ２１の先端部には穀粒を排出する排出部２１ａが設けられており、上下揺動又は水平回動によって排出オーガ２１の排出部２１ａを所定位置に移動させ、その場で穀粒を排出させることができる。
【００１９】
図３，図４は、図１に示す脱穀装置の構成を示す側面図及び正面図である。脱穀装置１８は、左右のクローラ式走行装置１Ｌ，１Ｒに支持された前後方向のシャーシフレーム２ａ上に立設され、この脱穀装置１８は、フィーダコンベア１３からの作物の穀稈が全稈導入される扱室２２と、扱室２２の真下側に形成された選別室２３とを有している。
【００２０】
扱室２２は、天板２４によって上方側がカバーされるとともに、左右の側壁２６，２７によって、左右両側方がカバーされ、この扱室２２内には、前後方向に延びる円柱状の扱胴２８が、自身の軸回りに回転駆動可能に支持されており、扱胴２８の真下側には、正断面視扱胴の外周に沿って湾曲した円弧状をなす前後方向の受網２９が配設され、扱胴２８の外周には螺旋状の扱歯２８ａが、軸方向全体に亘り一体的に形成され、この扱室２２に導入された穀稈は、正転駆動する扱胴２８及びその螺旋状の扱歯２８ａによって、脱穀処理されながら後方に搬送される。
【００２１】
天板２４は、左右外側端側の前後方向の支持軸３１を支点に上下回動自在に、脱穀装置１８の枠体１８ａに支持され、この天板２４の回動によって、扱室２２の上方側が開閉される。左右外側の側壁２６は、上端側に位置する上記支持軸３１を支点に左右回動自在に、枠体１８ａに支持され、この側壁２６の回動によって扱室２２の外側側方が開閉される。
【００２２】
選別室２３は、枠体１９ａ側に固設された左右一対の内側壁（機体内壁）３２，３２によって左右両側方が覆われており、左右外側の内側壁３２のさらに外側には、該内側壁３２をカバーするカバー体３４が着脱自在に配置され、このカバー体３４を取外すことにより、選別室２３内の点検等を行うことが可能になる。この選別室２３内の上部側である受網２９真下側には、揺動選別体３６が前後揺動駆動可能に支持され、選別室２３内の下部前側には、後方斜め上方の選別風を起風する唐箕ファン３７が配置され、選別室２３内の下部の前後方向中途部には、一番ラセン３８と、二番ラセン３９が前後に配置されている。
【００２３】
扱胴２８によって脱穀処理された後、受網２９を漏下して選別室２３に落下してくる処理物は、揺動選別体２８によって揺動選別されるとともに、上記選別風によって選別（風選）される。具体的には、選別風の影響を受けずに前側の一番ラセン３８に落下する一番物と、選別風の影響を若干受けて後側の二番ラセン３９に落下する二番物と、選別風の影響をもろに受けて後方斜め上方に吹上げられる藁屑等の排出物とに選別される。一番物は穀粒としてグレンタンク１９内に搬送され、二番物は選別室２３内に再度導入されて風選され、排出物は走行機体２の後端側から機外に排出される。
【００２４】
次に、図４乃至図６に基づき揺動選別体３６の構成を詳述する。
図５，図６は、図３に示す揺動選別体の構成を示す側面図及び平面図である。揺動選別体３６は、図示しない支持機構によって前後動可能に枠体１８ａ側に支持されており、この選別体３６の左右一対のサイドプレート４１，４１間には、グレンパン（搬送板）４２と、グレンパン４２から連続するように後方に延出されたチャフシーブ４３と、チャフシーブ４３から連続するように後方に延出されたストローラック４４と、チャフシーブ４３の真下側に配置された選別網４６と、選別網４６の後端から前方斜め下方に延出された一番物ガイド４７と、ストローラック４４の真下側に配置された補助チャフシーブ４８と、補助チャフシーブ４８の後方に配置された補助ストローラック４９と、補助ストローラック４９の後端から前方斜め下方に延出された二番物ガイド５１とが設けられている。
【００２５】
上記グレンパン４２は、側面視山と谷に相互に連続する波状に形成されている。前記選別風が起風され且つ揺動選別体３６が前後動している最中、このグレンパン４２は、扱室２２から受網２９を介して落下してくる処理物を受止めるとともに、この処理物を前後揺動作用によって後方に流動させる。この後方流動過程で、処理物が比重差により、上下に層分けされ、比重の重い下層側の処理物は、下方に落下する一方で、比重が軽い上層側の処理物は、チャフシーブ４３に引継がれる。
【００２６】
上記チャフシーブ４３は、左右方向に延びる板状のフィン４３ａを前後に複数並列配置することにより構成されている。各フィン４３ａは前後揺動可能に支持され、この前後複数のフィン４３ａの前後動によってチャフシーブ４３の開度が変更され、このチャフシーブ４３の開度変更によって、上記選別風の揺動選別体３６の上方側での風量と、処理物の漏下量が調整される。
【００２７】
選別風が起風され且つ揺動選別体３６が前後動している最中、グレンパン４２から引継がれたチャフシーブ４３上の処理物は、揺動作用及び選別風の風選作用によって、落下するものと、ストローラック４４に引継がれるものとに分けられる。
【００２８】
上記ストローラック４４は、前後方向に長く且つ表裏面が左右側方を向いたラック板４４ａを左右方向の複数並列させて構成されている。このラック板４４ａの上端は波状に形成されている。チャフシーブ４４から引継がれたストローラック４４上の処理物は後方搬送過程でほぐされ、藁屑等に絡み込んでいる穀粒が分離され、この分離された穀粒が、ラック板４４ａ間から落下する。
【００２９】
上記補助チャフシーブ４８は、上述したチャフシーブ４３と同様に構成されるとともに、上記補助ストローラック４９も、上述したストローラック４４と同様に構成される。この補助チャフシーブ４８及び補助ストローラック４９は、チャフシーブ４３の後部側又はストローラック４４から落下してきた処理物の選別を行う。
【００３０】
そして、補助チャフシーブ４８又は補助ストローラック４９の選別作用によっても落下せずに、揺動選別体３６の後端側まで達した処理物は、排出物として、選別室２３の後部上側に落下供給された後、機外に排出される。
【００３１】
なお、グレンパン４２又はチャフシーブ４３から選別網４６を介して漏下してくる処理物は、一番物ガイド４７のガイド作用等によって、一番ラセン３８側に落下供給されるとともに、補助チャフシーブ４８又は補助ストローラック４９から落下してくる処理物は、二番物ガイド５１のガイド作用等によって、二番ラセン３９側に落下供給される。
【００３２】
ところで、上述の構成によれば、グレンパン４２とチャフシーブ４３とストローラック４４とによって、揺動選別体３６の上面側に、前後方向に延びる処理物用の搬送面３６ａが形成されるが、この搬送面３６ａは、左右のサイドプレート４１，４１の上端部よりも低い位置にあるため、揺動選別体３６の前後揺動時に、左右方向にも変位する処理物が、搬送面３６ａの左右端側でサイドプレート４１に塞き止められてその場で滞留するか、或いは、サイドプレート４１を乗越え、揺動選別体３６と、内側壁３２，３２との間に形成された隙間から落下し、選別性能が低下する虞がある。また、扱室２２からの落下時にこの隙間に処理物が落ちる場合もある。
【００３３】
この選別性能の低下を防止するため、本脱穀装置１８では、揺動選別体３６と、左右内側壁３２，３２との間をシールして塞ぐシール部材５２を、搬送面３６ａよりも高くなるようにして、該揺動選別体３６の左右端側（側端近傍）に設けるとともに、搬送面３６ａ上を後方搬送される処理物を左右中央側に寄せる寄せ板５３，５４を設けている。
【００３４】
シール部材５２は、フレキシブル且つ弾性的に変更可能な合成樹脂等の部材で構成されるとともに、前後方向に長い帯状に成形されている。この帯状のシール部材５２の左右外側部分が、該外側に向かって上方に湾曲変更するようにして内側壁３２に前後スライド自在に接当するとともに、該シール部材５２の左右内側半部がサイドプレート４１の上端部に取付固定されている。このため、左右のシール部材５２は、揺動選別体３６と一体で内側壁３２と接しながら前後スライドする。
【００３５】
寄せ板５３，５４は、後方に向かって搬送面３６ａの左右方向内側に傾斜した状態で取付けられ、この寄せ板５３，５４は、グレンパン４２の上面側に配置される上流側寄せ板５３と、チャフシーブ４３の上面側に配置される下流側寄せ板５４の２種類が用意されている。
【００３６】
上流側寄せ板５３の下端側は、グレンパン４２の上面に隙間無く密着するように側面視グレンパン４２の上面に沿う波状に形成されており、この寄せ板５３が、サイドプレート４１の内側側面又はグレンパン４２の上面に溶接されることにより、該寄せ板が揺動選別体３６に固定されている。ちなみに、寄せ板５３は、グレンパン４２（搬送面３６ａ）上に左右対称配置され、この左右一対の寄せ板５３が、前後複数列（図示する例では前後２列）に並べられて配置されている。
【００３７】
下流側寄せ板５４は、チャフシーブ４３上に左右対称配置され、この左右一対の寄せ板５４が、前後複数列（図示する例では前後２列）に並べられて配置されている。この下流側寄せ板５４は、左右それぞれがユニット化されており、具体的には、前後方向の連結プレート（連結部材）５６に、前後複数（図示する例では２つ）の下流側寄せ板５４の左右外側寄り部分を、それぞれ溶着固定して取付けることにより、寄せユニット５７が構成されている。
【００３８】
この寄せユニット５７は、上下方向に長く下方が開放された長孔状の取付孔５６ａを、前後に複数並べて連結プレート５６に配設し、この各取付孔５６ａに挿入される取付ボルト５８によって、該連結プレート５６及び該連結プレート５６に溶着された複数の寄せ板５４を、サイドプレート４１に着脱自在にボルト固定しており、取付ボルト５８を緩めて取付孔５６ａ内を移動させることにより、サイドプレート４１を含む寄せ板５４の上下位置調整を行う。ちなみに、取付孔５６ａは下方が開放されているため、サイドプレート４１に取付ボルト５８が取付けられた状態のまま、寄せユニット５７を装着することができる。
【００３９】
このようにして、揺動選別体３６のチャフシーブ４３側に着脱自在且つ上下位置調整可能に取付けられる各下流側寄せ板５４の下端と、搬送面３６ａとの間には、隙間Ｓが形成され、この隙間Ｓの上下長さは、該寄せ板５４の高さ調整によって、変更可能である。
【００４０】
また、各下流側寄せ板５４におけるサイドプレート４１上端（及びシール部材５２）よりも高くなっている部分からは、左右外側に向かってガイド部５４ａが一体的に突出形成されている。このようにして下流側寄せ板５４の左右外側端部に一体形成されたガイド部５４ａは、シール部材５２の上面に接し且つ該上面から上方に立上った状態になる。このガイド部５４ａも、後方に向かって左右内側に傾斜している。このため、このシール部材５２上に位置する処理物は、後方搬送過程で、このガイド部５４ａによって、搬送面３６ａ側に落下案内される。
【００４１】
該構成によれば、グレンパン４２上の左右端側に偏った処理物は、左右の上流側寄せ板５３によって、左右方向中央側に寄せられ、処理物の量が均一化されるので、選別性能が向上する。この上流側寄せ板５３には、ガイド部５４ａのような部材は形成されていないため、シール部材５２上におけるグレンパン４２寄り部分に位置する処理物は、揺動作用によって、そのまま後方搬送される。
【００４２】
左右の下流側寄せ板５４は、チャフシーブ４３上の処理物を、フィン４３ａ間に漏下できる層厚に擦切りつつ、上記隙間Ｓの上端高さ以上の処理物は、左右中央側に寄せることにより、処理物の量を均一化させ、選別性能を向上させる。ちなみに、この隙間Ｓの上下長さは、１０〜２０ｍｍ程度が好ましく、この上下長さは前述した通り調整可能であるため、選別性能をより向上する。
【００４３】
また、下流側寄せ板５４に一体形成されたガイド部５４ａによって、シール部材５２上の処理物は、搬送面３６ａ側に寄せられ、落下するため、シール部材５２上の処理物がそのまま後端から排出物として落下し、選別性能を低下することが防止される。
【００４４】
さらに、寄せユニット５７が揺動選別体３６のチャフシーブ３６側に着脱自在に装着可能であるため、チャフシーブ３６の組付作業に際して、寄せユニット５７を取外せば、邪魔になることも防止される。
【符号の説明】
【００４５】
２８  扱胴
３６  揺動選別体
３６ａ  搬送面
４１  内側壁（機体内壁）
４２  グレンパン（搬送板）
４３  チャフシーブ
４３ａ  フィン
５２  シール部材
５３  上流側寄せ板（寄せ板）
５４  下流側寄せ板（寄せ板）
５４ａ  ガイド部
【図１】
2013138616.tif 000003
【図２】
2013138616.tif 000004
【図３】
2013138616.tif 000005
【図４】
2013138616.tif 000006
【図５】
2013138616.tif 000007
【図６】
2013138616.tif 000008